【事件の表示】
　特願２００２−２５６３４０「電気洗濯機」拒絶査定不服審判事件〔平成１６年　３月２５日出願公開、特開２００４−　８９５０８〕について、次のとおり審決する。
【結　論】
　本件審判の請求は、成り立たない。
【理　由】
１　手続の経緯・本願発明
　本願は、平成１４年９月２日の出願であって、その請求項１に係る発明は、当審で提出された平成２２年５月１４日付けの手続補正書によって補正された明細書及び出願当初の図面の記載からみて、本願の特許請求の範囲の請求項１に記載された事項により特定されるとおりのものと認められるところ、その請求項１に記載された発明は、次のとおりである。（以下「本願発明」という。）
「内側に洗濯兼脱水槽を回転可能に設置すると共に開口縁に外槽カバーを設けた外槽と、前記洗濯兼脱水槽内の底部に回転可能に設けた撹拌翼と、前記洗濯兼脱水槽および／または撹拌翼を回転駆動する駆動装置と、給水装置と、排水装置と、制御装置と、これらを包囲および内蔵するように設け、前記外槽および洗濯兼脱水槽の開口に対向するように形成した衣類投入口を有する外枠と、前記衣類投入口を開閉する外蓋とを備えた電気洗濯機において、
　前記外蓋は、前後方向の略中央部位を折り目にして山折に折り曲げ可能に前側部材と後側部材を結合して構成して後端部分を軸にして転角して衣類投入口を開閉するように外枠に取り付けて設け、前記前側部材は該外蓋を開操作する取っ手を備え、前記後側部材に吸気窓を備え、
　前記外槽カバーは、前記洗濯兼脱水槽および撹拌翼の回転によって外槽内に送り出された空気を外枠内に導く通気窓を備え、
　前記制御装置は、洗濯物が入れられた前記洗濯兼脱水槽および撹拌翼を一体的に高速回転させることにより前記吸気窓から機外の空気を冷風の状態で前記洗濯兼脱水槽内に流し込んで前記洗濯兼脱水槽内の洗濯物を冷風乾燥させる通風運転と、前記洗濯兼脱水槽の回転を停止させた状態で前記撹拌翼を回転させることより前記洗濯兼脱水槽内の洗濯物の布入替えを行う布入替え運転を繰り返し実行するように前記駆動装置を制御する風乾燥運転と、前記洗濯兼脱水槽および撹拌翼を一方向に連続回転させるように前記駆動装置を制御する槽乾燥運転の制御を行うことを特徴とする電気洗濯機。」
　
２　引用刊行物記載の発明
　これに対して、当審での平成２２年３月９日付けで通知した拒絶の理由に引用された、本願の出願前である平成１１年１２月１４日に頒布された特開平１１−３４２２８８号公報（以下「引用例１」という。）、及び平成１２年１０月１０日に頒布された特開２０００−２７９６８１号公報（以下、「引用例２」という。）には、以下の発明が記載されている。
（１）引用例１
ア　段落【０００３】〜【０００６】
「【０００３】・・・図９において、１は外箱、２はこの外箱１内に配設する外槽、３は外箱１の内底部に配置される加熱装置４および送風機５より発生する温風を後述する洗濯兼脱水槽の上方開口部へ案内するためのフレキシブルチューブ、２７は該フレキシブルチューブ３の先端部に装着されて温風を吹き出すための吹き出しノズル、６は外槽２の上部周縁に設けられる防水板である。
【０００４】また、７は外槽２の外底部に配置するモータ、８はモータ７の回転駆動をモータプーリ９から主軸プーリ１０へ伝達するベルト、１１は減速機１２からの回転駆動を後述する洗濯兼脱水槽に伝達するかまたは回転翼に伝達するかを切り換えるためのクラッチ、１３は外槽２の下方端部に取り付けられる排水ホース１４から洗濯液を外部へ排出制御するための排水バルブ、１５は外槽２内に回転自在に設けられる洗濯兼脱水槽、１６は洗濯兼脱水槽１５の上部周縁に設けられるバランサー、１７は洗濯兼脱水槽１５の壁面に形成する脱水孔、１８は洗濯兼脱水槽１５内に入っている洗濯物、１９は洗濯兼脱水槽１５の内底部に配設する回転翼である。
【０００５】２０は外箱１の上部に配置するトップカバー２１内に収まっているモータ７の回転数および回転時間を制御する制御部、２２は外箱１の底部に形成する吸気孔、２３は外箱１の上部壁面に形成する排気孔、２４は外槽２と洗濯兼脱水槽１５との空間の最上部に連通するフレキシブル排気ダクト、２５は外槽２と洗濯兼脱水槽１５との空間の上部に配置する温度検出器、２６は主軸プーリ１０の回転数を検出する回転数検出器、２８は回転翼１９に形成された回転翼通気孔である。
【０００６】なお、前記クラッチ１１は、従来周知のようにクラッチ１１の作動時は主軸プーリ１０の回転を洗濯兼脱水槽１５へ直に伝達し、不作動時は主軸プーリ１０の回転を減速機１２を介して回転翼１９へ伝達するように構成される。」
イ　段落【０００８】〜【００１５】
「【０００８】次に図１２のフローチャートについて洗濯乾燥行程の動作を説明する。洗濯乾燥機での洗い行程、すすぎ行程が終了した後に洗濯兼脱水槽１５を高速回転させて洗濯物１８に含まれている水分を遠心力て飛ばす脱水行程へと移行し〔ステップ（１）〕、脱水行程の終了後、洗濯兼脱水槽１５の内壁面に遠心力によって洗濯物１８が張り付いた状態のままで乾燥行程に移行し、温風がフレキシブルチューブ３から吹き出しノズル２７を介して洗濯兼脱水槽１５の上方開口部へ案内される。
【０００９】ここで温風の流通経路を説明する。図９に示すように外箱１の底部に形成された吸気孔２２を介して吸い込まれた外部空気は加熱装置４および送風機５によって温風となり、温風が前記のようにフレキシブルチューブ３から吹き出しノズル２７を介して洗濯兼脱水槽１５の上方開口部へ案内される。
【００１０】次に、温風は洗濯兼脱水槽１５および洗濯兼脱水槽１５と一体となって回転する回転翼１９の回転作用による拡散効果で、洗濯物１８に接触して水分を蒸発させる。これにより、湿気の多い温風は回転翼通気孔２８から洗濯兼脱水槽１５の外底部へ抜け出たり、あるいは脱水孔１７を抜け出たりして、外槽２と洗濯兼脱水槽１５との空間の下方より上方へ向かっていく。そして、湿気の多い温風はフレキシブル排気ダクト２４から排気孔２３を介して外部へ拡散していく。
【００１１】次に解し乾燥行程にすすみ〔ステップ（２）〕、図１３に示すように回転翼１９はＯＮ０．５秒、ＯＦＦ０．５秒の周期で右回転と左回転とを交互に繰り返すようにして１分間往復回転する。これにより、洗濯兼脱水槽１５の内壁面に張り付いた状態の洗濯物１８（図９のＡの状態）が掻き落とされ、かつ上下左右にランダム的に入替えされて解され、温風が解された洗濯物１８（図９のＢの状態）に満遍なく接触する。
【００１２】次に乾燥行程にすすみ〔ステップ（３）〕、クラッチ動作手段３３が駆動した後に回転数検出器２６の出力に基づいてモータ右回転手段３４の動作が制御される。これにより、洗濯兼脱水槽１５は例えば３００ｒｐｍの回転数で約３分間回転する。このときに、洗濯兼脱水槽１５の回転作用および洗濯兼脱水槽１５と一体となって回転する回転翼１９の回転作用による拡散効果で、温風が遠心力によって洗濯兼脱水槽１５の内壁面に張り付いた状態の洗濯物１８（図９のＡの状態）に接触する。温風と直に触れている箇所の洗濯物１８に含まれている水分は、蒸発拡散して所定の流通経路を経て排気される。
【００１３】次に乾き具合の判定へと移行し〔ステップ（４）〕、排気温度を検出する温度検出器２５の出力に基づいて洗濯物１８の乾き具合を判定する。図１０は、外槽２と洗濯兼脱水槽５との空間の上部に設けられた温度検出器２５より得られる、温風の温度変化の一例を示した曲線図であり、図１０において、乾燥開始後に温風の温度が徐々に上昇していく余熱期（図１０中のＡライン）、その後温度が安定する安定期（図１０中のＢライン）、さらに乾燥が進んで洗濯物１８に含まれる水分が少なくなり温度が上昇していく上昇期（図１０中のＣライン）からなる。上昇期の過程で、例えば温度の絶対値、初期温度からの変化量のいずれかを選定して、洗濯物１８の乾き具合の判定基準に用いる。
【００１４】判定の結果、例えば、温度検出器２５の出力の絶対値あるいは初期値からの変化量が予め設定された所定値以下のときは、乾燥が未終了つまりＮＯと判定される。そして、解し乾燥〔ステップ（２）〕に戻って、前記と同様の動作が行われる。
【００１５】また、かりに温度検出器２５の出力の絶対値あるいは初期値からの変化量が予め設定された所定値以上のときは、乾燥が終了つまりＹＥＳと判定される。これにより、加熱装置４、送風機５さらにモータ７の運転が停止し、一連の乾燥行程が終了する〔ステップ（５）〕。」
ウ　ここで、図面の図９を参照すると、洗濯乾燥機が記載されている。そして、洗濯乾燥機は外箱１内にすべての機能が備えられていることは明らかである。また、図９には、衣類投入口は記載されていないが、洗濯乾燥機という機能からして、トップカバー２１には、外槽２及び洗濯兼脱水槽１５の開口に対向するように形成した衣類投入口を有し、該衣類投入口を開閉する外蓋が備えられていることは明らかである。
　また、図１３の（ａ）を参照すると、解し乾燥行程では、回転翼１９は、１３０ｒｐｍの回転速度で左右に回転しているものであることが見て取れる。
　以上アないしイの記載事項、及びウの認定事項から、引用例１には、「内部に洗濯兼脱水槽１５を回転自在に設けると共に上部周縁に防水板６を設けた外槽２と、前記洗濯兼脱水槽１５の内底部に配設する回転翼１９と、モータ７、モータプーリ９、ベルト８、主軸プーリ１０、クラッチ１１、減速機１２を有し、ここでクラッチ１１は減速機１２からの回転駆動を洗濯兼脱水槽１５に伝達するか回転翼１９に伝達するかを切り換え、排水ホース１４と、制御部２０と、これらを包囲および内蔵するように設けさらに前記外槽２および洗濯兼脱水槽１５の開口に対向するように形成した衣類投入口を有するトップカバー２１および外箱１と、前記衣類投入口を開閉する外蓋とを備えた洗濯乾燥機において、
　前記洗濯兼脱水槽１５および回転翼１９の回転によって外槽２内に送り出された湿気の多い温風を外部へ拡散する排気孔２３を備え、
　前記制御部２０は、洗濯物１８が入れられた前記洗濯兼脱水槽１５および回転翼１９を一体として３００ｒｐｍで回転させることにより、外箱１の底部に形成された吸気孔２２から外部の空気を温風の状態で前記洗濯兼脱水槽１５に案内して前記洗濯兼脱水槽１５内の洗濯物１８を温風乾燥させる乾燥行程と、前記回転翼１９を１３０ｒｐｍで左右に回転させることにより前記洗濯兼脱水槽１５の内壁面に張り付いた状態の洗濯物１８を掻き落とし、かつ上下左右にランダム的に入替えて解す解し乾燥行程を繰り返し実行するようにモータ７およびクラッチ１１を制御する洗濯乾燥機。」の発明（以下、「引用発明１」という。）が記載されていると認められる。
（２）引用例２
ア　段落【０００１】
「【発明の属する技術分野】本発明は、二槽式洗濯機、本発明は、洗い行程、すすぎ行程、脱水行程が自動的に進行する全自動タイプの洗濯機や、これに乾燥行程を付加した洗濯乾燥機タイプの洗濯機の運転方法に関するものである。」
イ　段落【００４２】〜【００４４】
「図３は第５実施形態が実施される洗濯機としての全自動一槽式の洗濯乾燥機であり、洗濯機の基本構成は既に説明したとおりであるから、ここでの詳細な説明は省略するが、外箱１内に支持した外槽２の内部に多数の脱水孔３を有するとともに底部に回転翼８を設けた洗濯兼脱水槽９を回転自在に配設し、該洗濯兼脱水槽９の外底部にモータ１０を配設し、該モータ１０の回転駆動軸をモータプーリ１１、ベルト１２、主軸プーリ１３を介して減速機１４に連結し、該減速機１４を前記モータ１０からの回転駆動を洗濯兼脱水槽４に伝達するか、回転翼３に伝達するかを切り換えるためのクラッチ１５に連結する。
　また、トップカバー１９の下方に温風ダクト２１を配設し、その吸気口２１ａをトップカバー１９と外箱１との間に設け、排出口２１ｂを外槽２の上方に開口し、温風ダクト２１内に発熱装置２０を設置した。
　かかる洗濯機において、外槽２を乾燥する方法を図９のフローチャートについて説明する。洗濯運転を開始し〔ステップ（イ）〕、洗い行程〔ステップ（ウ）〕、すすぎ行程〔ステップ（ノ）〕と進行し、これに続く脱水行程で〔ステップ（ロ）〕、前記した第１実施形態と同様にして洗濯兼脱水槽９の回転による脱水行程が所定時間経過した後〔ステップ（ハ）〕、発熱装置２０を動作させて〔ステップ（ニ）〕、洗濯兼脱水槽９の回転力によって温風ダクト２１内に空気の流れを発生させ、温風を洗濯兼脱水槽９内に吸い込む。これにより、洗濯兼脱水槽９や外槽２内を乾燥させる。そして、脱水行程が終了して洗濯兼脱水槽９が自然停止すれば〔ステップ（ホ）〕、乾燥運転が終了する。」
ウ　段落【００４９】
「なお、温風供給手段を動作させるタイミングとして、洗濯兼脱水槽９の停止後で、かつ、前記のように洗濯物を洗濯兼脱水槽９から取り出した後とするには、例えば蓋１８の開閉を蓋スイッチで検知し、蓋１８の開閉動作のあったことを条件として温風供給手段を動作させるようにすれば、実効的である。」
　以上アないしウの記載事項から、引用例２には、「洗濯物を洗濯兼脱水槽９から取り出した後、洗濯兼脱水槽９の回転力によって温風ダクト２１内の空気の流れを発生させ、温風を洗濯兼脱水槽９内に吸い込み、洗濯兼脱水槽９や外槽２内を乾燥させる乾燥運転を行う全自動一槽式の洗濯乾燥機。」の発明（以下、「引用発明２」という。）が記載されていると認められる。
　
３　対比
　本願発明と引用発明１を対比すると、引用発明１の「洗濯兼脱水槽１５」、「防水板６」、「外槽２」、「回転翼１９」、「排水ホース１４」、「制御部２０」、「洗濯物１８」、「洗濯乾燥機」は、それぞれ、本願発明の「洗濯兼脱水槽」、「外槽カバー」、「外槽」、「撹拌翼」、「排水装置」、「制御装置」、「洗濯物」、「電気洗濯機」に相当する。そうすると、引用発明１の「内部に洗濯兼脱水槽１５を回転自在に設ける外槽２」は、本願発明の「内側に洗濯兼脱水槽を回転可能に設置する外槽」に相当し、引用発明１の「上部周縁に防水板６を設けた外槽２」は、本願発明の「開口縁に外槽カバーを設けた外槽」に相当し、引用発明１の「洗濯兼脱水槽１５の内底部に配設する回転翼１９」は、本願発明の「洗濯兼脱水槽内の底部に回転可能に設けた撹拌翼」に相当することは明らかである。
　引用発明１の「モータ７、モータプーリ９、ベルト８、主軸プーリ１０、クラッチ１１、減速機１２を有し、ここでクラッチ１１は減速機１２からの回転駆動を洗濯兼脱水槽１５に伝達するか回転翼１９に伝達するかを切り換え」は、本願発明の「洗濯兼脱水槽または撹拌翼を回転駆動する駆動装置」に相当する。
　引用発明１の「トップカバー２１および外箱１」は、合わせて本願発明の「外枠」に相当する。
　引用発明１の「洗濯兼脱水槽１５および回転翼１９の回転によって外槽２内に送り出された湿気の多い温風を外部へ拡散する排気孔２３を備え」ることは、「洗濯兼脱水槽および撹拌翼の回転によって外槽内に送り出された空気を外部に導く通気窓を備え」ることである限りにおいて、本願発明の「外槽カバーは、洗濯兼脱水槽および撹拌翼の回転によって外槽内に送り出された空気を外枠内に導く通気窓を備え」ることと共通する。
　引用発明１の「洗濯物１８が入れられた前記洗濯兼脱水槽１５および回転翼１９を一体として３００ｒｐｍで回転させることにより、外箱１の底部に形成された吸気孔２２から外部の空気を温風の状態で前記洗濯兼脱水槽１５に案内して前記洗濯兼脱水槽１５内の洗濯物１８を温風乾燥させる乾燥行程と、前記回転翼１９を１３０ｒｐｍで左右に回転させることにより前記洗濯兼脱水槽１５の内壁面に張り付いた状態の洗濯物１８を掻き落とし、かつ上下左右にランダム的に入替えて解す解し乾燥行程を繰り返し実行するようにモータ７およびクラッチ１１を制御する」は、３００ｒｐｍは１３０ｒｐｍに比べて高速回転と言えることから、「洗濯物が入れられた洗濯兼脱水槽および撹拌翼を一体的に高速回転させることにより吸気孔から機外の空気を洗濯兼脱水槽内に流し込んで前記洗濯兼脱水槽内の洗濯物を乾燥させる運転と、撹拌翼を回転させることより前記洗濯兼脱水槽内の洗濯物の布入替えを行う布入替え運転を繰り返し実行するように駆動装置を制御する乾燥運転の制御を行う」という限りで、本願発明の「洗濯物が入れられた前記洗濯兼脱水槽および撹拌翼を一体的に高速回転させることにより前記吸気窓から機外の空気を冷風の状態で前記洗濯兼脱水槽内に流し込んで前記洗濯兼脱水槽内の洗濯物を冷風乾燥させる通風運転と、前記洗濯兼脱水槽の回転を停止させた状態で前記撹拌翼を回転させることより前記洗濯兼脱水槽内の洗濯物の布入替えを行う布入替え運転を繰り返し実行するように前記駆動装置を制御する風乾燥運転の制御を行う」と共通する。
　以上の点から、両者は「内側に洗濯兼脱水槽を回転可能に設置すると共に開口縁に外槽カバーを設けた外槽と、前記洗濯兼脱水槽内の底部に回転可能に設けた撹拌翼と、前記洗濯兼脱水槽または撹拌翼を回転駆動する駆動装置と、排水装置と、制御装置と、これらを包囲および内蔵するように設け、前記外槽および洗濯兼脱水槽の開口に対向するように形成した衣類投入口を有する外枠と、前記衣類投入口を開閉する外蓋とを備えた電気洗濯機において、
　前記洗濯兼脱水槽および撹拌翼の回転によって外槽内に送り出された空気を外部に導く通気窓を備え、
　前記制御装置は、洗濯物が入れられた洗濯兼脱水槽および撹拌翼を一体的に高速回転させることにより吸気孔から機外の空気を洗濯兼脱水槽内に流し込んで前記洗濯兼脱水槽内の洗濯物を乾燥させる運転と、撹拌翼を回転させることより前記洗濯兼脱水槽内の洗濯物の布入替えを行う布入替え運転を繰り返し実行するように駆動装置を制御する乾燥運転の制御を行う電気洗濯機。」で一致し、以下の点で相違している。
＜相違点１＞
　本願発明では、「給水装置」を設けていると特定しているのに対して、引用発明１では給水装置について不明な点。
＜相違点２＞
　外蓋の構造に関して、本願発明では、「前後方向の略中央部位を折り目にして山折に折り曲げ可能に前側部材と後側部材を結合して構成して後端部分を軸にして転角して衣類投入口を開閉するように外枠に取り付けて設け、前記前側部材は該外蓋を開操作する取っ手を備え、前記後側部材に吸気窓を備え」ると限定しているのに対して、引用発明１では外蓋の構造に関して不明な点。
＜相違点３＞
　洗濯兼脱水槽および撹拌翼の回転によって外槽内に送り出された空気を外部に導く通気窓に関して、本願発明では、「外槽カバーは、洗濯兼脱水槽および撹拌翼の回転によって外槽内に送り出された空気を外枠内に導く通気窓を備え」ると限定しているのに対して、引用発明１では、洗濯兼脱水槽１５および回転翼１９の回転によって外槽２内に送り出された湿気の多い温風を外部へ拡散する排気孔２３を備えるものである点。
＜相違点４＞
　乾燥運転制御に関して、本願発明では、「冷風乾燥」を行っているため、「洗濯物が入れられた洗濯兼脱水槽および撹拌翼を一体的に高速回転させることにより吸気窓から機外の空気を冷風の状態で前記洗濯兼脱水槽内に流し込んで前記洗濯兼脱水槽内の洗濯物を冷風乾燥させる通風運転と、前記洗濯兼脱水槽の回転を停止させた状態で前記撹拌翼を回転させることより前記洗濯兼脱水槽内の洗濯物の布入替えを行う布入替え運転を繰り返し実行するように前記駆動装置を制御する風乾燥運転」を行うとしているのに対して、引用発明１では、温風乾燥を行うため、洗濯物１８が入れられた洗濯兼脱水槽１５および回転翼１９を一体として３００ｒｐｍで回転させることにより、外箱１の底部に形成された吸気孔２２から外部の空気を温風の状態で前記洗濯兼脱水槽１５に案内して前記洗濯兼脱水槽１５内の洗濯物１８を温風乾燥させる乾燥行程と、前記回転翼１９を１３０ｒｐｍで左右に回転させることにより前記洗濯兼脱水槽１５の内壁面に張り付いた状態の洗濯物１８を掻き落とし、かつ上下左右にランダム的に入替えて解す解し乾燥行程を繰り返し実行するようにモータ７およびクラッチ１１を制御するものである点。
＜相違点５＞
　本願発明では、「洗濯兼脱水槽および撹拌翼を一方向に連続回転させるように駆動装置を制御する槽乾燥運転の制御を行う」ものであるのに対して、引用発明１では、槽乾燥運転について不明な点。
　
４　当審の判断
（１）＜相違点１＞について
　電気洗濯機において、給水装置を設けることは、例示するまでもなく従来周知の事項であるから、引用発明１においても、洗濯乾燥機に給水装置を設けるようにすることに、格別の困難性を要するものではない。
（２）＜相違点２＞について
　電気洗濯機において、外蓋を、前後方向の略中央部位を折り目にして山折に折り曲げ可能に前側部材と後側部材を結合して構成して後端部分を軸にして転角して衣類投入口を開閉するように外枠に取り付けて設けことは、拒絶理由に引用した特開平１０−２６３２７０号公報（段落【００１７】および図面の図２、３参照。）のほか、例えば、特開２００１−１７７９０号公報（段落【００１５】〜【００１８】および図面の図１参照。）に記載されているように従来周知の事項である。そして、外蓋を山折りに折り曲げ可能に構成した場合、外蓋を開閉する取っ手を前側部材に設けることも、外蓋の開閉操作性を考えれば自明の事項（なお、上記した特開２００１−１７７９０号公報に記載された蓋体３００においても、取っ手３０７は、前側部材である第２の蓋体３０２に設けられている。）である。
　また、外蓋に吸気窓を設けること自体も、拒絶理由に引用した特公昭６１−５７７９９号公報（第３欄第４〜１２行および図面の第１、２図参照。）や実願昭５７−４９７７８号（実開昭５８−１５２２８７号）のマイクロフィルム（第３頁第８〜１２行および図面の第１図参照。）に記載されたように周知の事項である。
　してみると、引用発明１においても、その外蓋を前後方向の略中央部位を折り目にして山折に折り曲げ可能に前側部材と後側部材を結合して構成して後端部分を軸にして転角して衣類投入口を開閉するように外枠に取り付けて設けるとともに、前側部材は該外蓋を開操作する取っ手を備え、外蓋自体に吸気窓を備えるものとすることは、上記周知の事項を採用することにより、当業者が容易になし得たものである。
　ここで、本願発明では、さらに、外蓋に設ける吸気窓の位置を、外蓋の「後側部材」であると特定している。
　しかしながら、外蓋を前側部材と後側部材とで構成した場合、前側部材に取っ手を設けることが必然であることから、吸気窓は、取っ手を設けるのに際して影響しない側、すなわち、後側部材に吸気窓を設けるようにすることは、当然の帰結に過ぎない。
（３）＜相違点３＞について
　引用発明１は、外槽カバーに相当する防水板６に通気窓を設けたものではないが、引用例１の図９を参照すると、排気孔２３は、外槽２の上部において、防水板６の外側に設けられている。そして、外槽カバー自体に通気窓を設けること自体が拒絶理由に引用した実願平１−９４５９７号（実開平３−３４４７５号）のマイクロフィルム（第１１頁第７〜１１行および図面の第１図における排気孔１９参照。）に記載されているように従来知られていることであることからすれば、引用発明１においても、通気窓に相当する排気孔２３を外槽カバーに相当する防水板６に設けるようにすることは、当業者が容易になし得たものである。
（４）＜相違点４＞について
　脱水洗濯機において、温風でなく、通風により洗濯物を乾燥させることは、例えば、拒絶理由に引用した特公昭６１−５７７９９号公報（第４欄第３〜１８行参照。）、実願昭５７−４９７７８号（実開昭５８−１５２２８７号）のマイクロフィルム（第３頁第１５行〜第４頁第４行参照。）、特開平４−６１８９３号公報（第５頁右下欄第４〜１８行参照。）、特開２００２−３５４６８号公報（段落【００８８】および図面の図１２参照。）等に記載されているように従来周知の事項であるので、引用発明１においても、温風乾燥を用いずに、通風乾燥、すなわち、冷風乾燥を用い、洗濯物１８が入れられた洗濯兼脱水槽１５および回転翼１９を一体として３００ｒｐｍで回転させることにより、外箱１の底部に形成された吸気孔２２から外部の空気を冷風の状態で前記洗濯兼脱水槽１５に案内して前記洗濯兼脱水槽１５内の洗濯物１８を冷風乾燥させる乾燥行程と、前記回転翼１９を１３０ｒｐｍで左右に回転させることにより前記洗濯兼脱水槽１５の内壁面に張り付いた状態の洗濯物１８を掻き落とし、かつ上下左右にランダム的に入替えて解す解し乾燥行程を繰り返し実行するようにモータ７およびクラッチ１１を制御することは、当業者が容易になし得たものである。
（５）＜相違点５＞について
　引用発明２は、「洗濯物を洗濯兼脱水槽９から取り出した後、洗濯兼脱水槽９の回転力によって温風ダクト２１内の空気の流れを発生させ、温風を洗濯兼脱水槽９内に吸い込み、洗濯兼脱水槽９や外槽２内を乾燥させる乾燥運転を行う全自動一槽式の洗濯乾燥機。」である。すなわち、洗濯物を取り出した後の乾燥行程であるから、これが槽乾燥運転と言えるものであることは明らかである。そうすると、引用発明１も引用発明２も、ともに洗濯兼脱水を行うものであるから、引用発明２を引用発明１に適用し、引用発明１に洗濯兼脱水槽９の回転による槽乾燥運転を行うものとすることは、当業者にとって格別の困難性を有するものではない。
　なお、本願発明では、槽乾燥運転につき、さらに、「洗濯兼脱水槽および撹拌翼を一方向に連続回転させる」ことを特定している。
　しかしながら、撹拌翼を回転させれば、空気の流れがより強められることは明らかであり、また、洗濯物の乾燥ではないため、回転方向を変える必要がないことも明らかであることからすれば、槽乾燥運転を、撹拌翼も回転させる一方向回転とすることは、当然の帰結に過ぎない。
（６）作用ないし効果について
　吸気窓に関する限定は、外蓋の「後側部材に備える」というものである。ここで、外蓋を折り曲げ可能にした場合、前側部材に取っ手を設けることが前記（２）で言及したとおり、外蓋の開閉操作性を考えれば自明の事項であることから、外蓋の後側部材に吸気窓を設ければ、取っ手の位置や形状に左右されることなく大きな吸気窓を設けて吸気流量の増大を実現することができたとしても、そのことをもって、格別な作用ないし効果とすることはできない。そのほかに、引用発明１、引用発明２から予測し得る範囲を超える作用ないし効果を本願発明が奏するものではない。
（７）まとめ
　したがって、本願発明は、引用発明１、引用発明２、および従来周知の事項を採用することにより、当業者が容易になし得たものである。
　
５　むすび
　以上のとおり、本願発明は、引用例１に記載された発明に、引用例２に記載された発明、及び上記周知の事項に基づいて当業者が容易に発明をすることができたものであるから、請求項２ないし４に係る発明について検討するまでもなく、特許法第２９条第２項の規定により、本願は拒絶されるべきものである。
　
　よって、結論のとおり審決する。